(57)【要約】【課題】検査された紙媒体の画像を保存せずに、監査時に検査時の紙媒体への書き込みを確認する。【解決手段】クライアント装置３が、紙媒体を撮像した撮像画像の画像情報に基づいて、撮像画像の固有情報を生成し、検査対象の紙媒体を撮像した撮像画像について生成された固有情報と、撮像画像に書き込まれた書込情報とを関連付けてデータ登録装置２に登録する。データ登録装置２が、監査対象の紙媒体を撮像した撮像画像について生成された固有情報に基づいて、登録された書込情報の中から対応する書込情報を検索し、クライアント装置３が、データ登録装置２により検索された書込情報に基づく書込画像を、監査対象の紙媒体を撮像した撮像画像に重ね合わせて表示装置５に表示させる。【選択図】図１
2014170292.tif 000002
【特許請求の範囲】
【請求項１】
紙媒体を撮像した撮像画像の画像情報に基づいて、前記撮像画像の固有情報を生成する生成手段と、
検査対象の紙媒体を撮像した撮像画像について前記生成手段により生成された固有情報と、当該撮像画像に書き込まれた書込情報とを関連付けて登録する登録手段と、
監査対象の紙媒体を撮像した撮像画像について前記生成手段により生成された固有情報に基づいて、前記登録手段に登録された書込情報の中から対応する書込情報を検索する検索手段と、
前記検索手段により検索された書込情報に基づく書込画像を、前記監査対象の紙媒体を撮像した撮像画像に重ね合わせて表示させる表示制御手段と、を含む
ことを特徴とする画像処理システム。
【請求項２】
前記登録手段は、前記監査対象の紙媒体を撮像した撮像画像について前記生成手段により生成された固有情報と、前記前記書込画像が重ね合わせて表示された前記撮像画像に書き込まれた書込情報とを関連付けて登録し、
前記検索手段は、検査対象の紙媒体を撮像した撮像画像について前記生成手段により生成された固有情報に基づいて、前記登録手段に登録された書込情報の中から対応する書込情報を検索し、
前記表示制御手段は、前記検索手段により検索された１又は複数の書込情報に基づくそれぞれの書込画像を、前記検査対象の紙媒体を撮像した撮像画像に重ね合わせて表示させる
ことを特徴とする請求項１に記載の画像処理システム。
【請求項３】
前記検索手段は、前記監査対象の紙媒体を撮像した撮像画像について前記生成手段により生成された固有情報と一致又は類似する固有情報に関連付けて前記登録手段により登録された書込情報を検索する
ことを特徴とする請求項１又は２に記載の画像処理システム。
【請求項４】
前記生成手段は、前記撮像画像を複数の領域に分割し、当該複数の領域にそれぞれ含まれる文字列に基づき算出した複数の特徴量を要素として含む固有情報を生成し、
前記検索手段は、前記監査対象の紙媒体を撮像した撮像画像について前記生成手段により生成された固有情報に含まれる複数の特徴量のうち予め定められた数又は割合以上の特徴量が一致する固有情報に関連付けて前記登録手段により登録された書込情報を検索する
ことを特徴とする請求項３に記載の画像処理システム。
【請求項５】
紙媒体を撮像した撮像画像の画像情報に基づいて、前記撮像画像の固有情報を生成する生成手段と、
登録対象の紙媒体を撮像した撮像画像について前記生成手段により生成された固有情報と、当該撮像画像に書き込まれた書込情報とを関連付けて登録する登録手段と、を含み、
監査対象の紙媒体を撮像した撮像画像の画像情報に基づいて生成された固有情報に基づいて、前記登録手段に登録された書込情報の中から対応する書込情報が検索され、
前記検索された書込情報に基づく書込画像が、前記監査対象の紙媒体を撮像した撮像画像に重ね合わせて表示される
ことを特徴とする登録装置。
【請求項６】
紙媒体を撮像した撮像画像の画像情報に基づいて、前記撮像画像の固有情報を生成する生成手段と、
登録対象の紙媒体を撮像した撮像画像の画像情報に基づいて生成された固有情報と、当該撮像画像に書き込まれた書込情報とを関連付けて記憶した記憶手段から、監査対象の紙媒体を撮像した撮像画像について前記生成手段により生成された固有情報に基づいて、対応する書込情報を取得する取得手段と、
前記取得した書込情報に基づく書込画像を、前記監査対象の紙媒体を撮像した撮像画像に重ね合わせて表示させる表示制御手段と、を含む
ことを特徴とする画像処理装置。
【請求項７】
紙媒体を撮像した撮像画像の画像情報に基づいて、前記撮像画像の固有情報を生成する生成手段と、
登録対象の紙媒体を撮像した撮像画像について前記生成手段により生成された固有情報と、当該撮像画像に書き込まれた書込情報とを関連付けて登録する登録手段としてコンピュータを機能させるためのプログラムであって、
監査対象の紙媒体を撮像した撮像画像の画像情報に基づいて生成された固有情報に基づいて、前記登録手段に登録された書込情報の中から対応する書込情報が検索され、
前記検索された書込情報に基づく書込画像が、前記監査対象の紙媒体を撮像した撮像画像に重ね合わせて表示される
ことを特徴とするプログラム。
【請求項８】
紙媒体を撮像した撮像画像の画像情報に基づいて、前記撮像画像の固有情報を生成する生成手段と、
登録対象の紙媒体を撮像した撮像画像の画像情報に基づいて生成された固有情報と、当該撮像画像に書き込まれた書込情報とを関連付けて記憶した記憶手段から、監査対象の紙媒体を撮像した撮像画像について前記生成手段により生成された固有情報に基づいて、対応する書込情報を取得する取得手段と、
前記取得した書込情報に基づく書込画像を、前記監査対象の紙媒体を撮像した撮像画像に重ね合わせて表示させる表示制御手段
としてコンピュータを機能させるためのプログラム。
【発明の詳細な説明】
【技術分野】
【０００１】
本発明は、画像処理システム、登録装置、画像処理装置及びプログラムに関する。
【背景技術】
【０００２】
企業の内部統制やリスクマネジメントを支援するシステムでは、商取引に利用される紙媒体（証跡）の検査及び、検査についての第三者による監査を支援する機能が必要とされる。ここで、監査時には、証跡の内容及び証跡についての検査内容を確認して、正しく検査が行われているかを確認することが行われる。
【０００３】
一方で、証跡自体を電子化して保存すると情報漏洩等のリスクがあるため、証跡自体は電子化して保存しないように運用していることがある。このような場合には、証跡の検査及び監査の電子化が困難となる。
【先行技術文献】
【特許文献】
【０００４】
【特許文献１】特開２０１０−２８７９２９号公報
【発明の概要】
【発明が解決しようとする課題】
【０００５】
本発明の目的は、検査された紙媒体の画像を保存せずに、監査時に検査時の紙媒体への書き込みを確認することができる画像処理装置及びプログラムを提供することにある。
【課題を解決するための手段】
【０００６】
請求項１に係る発明は、紙媒体を撮像した撮像画像の画像情報に基づいて、前記撮像画像の固有情報を生成する生成手段と、検査対象の紙媒体を撮像した撮像画像について前記生成手段により生成された固有情報と、当該撮像画像に書き込まれた書込情報とを関連付けて登録する登録手段と、監査対象の紙媒体を撮像した撮像画像について前記生成手段により生成された固有情報に基づいて、前記登録手段に登録された書込情報の中から対応する書込情報を検索する検索手段と、前記検索手段により検索された書込情報に基づく書込画像を、前記監査対象の紙媒体を撮像した撮像画像に重ね合わせて表示させる表示制御手段と、を含むことを特徴とする画像処理システムである。
【０００７】
請求項２に係る発明は、前記登録手段は、前記監査対象の紙媒体を撮像した撮像画像について前記生成手段により生成された固有情報と、前記前記書込画像が重ね合わせて表示された前記撮像画像に書き込まれた書込情報とを関連付けて登録し、前記検索手段は、検査対象の紙媒体を撮像した撮像画像について前記生成手段により生成された固有情報に基づいて、前記登録手段に登録された書込情報の中から対応する書込情報を検索し、前記表示制御手段は、前記検索手段により検索された１又は複数の書込情報に基づくそれぞれの書込画像を、前記検査対象の紙媒体を撮像した撮像画像に重ね合わせて表示させることを特徴とする請求項１に記載の画像処理システムである。
【０００８】
請求項３に係る発明は、前記検索手段は、前記監査対象の紙媒体を撮像した撮像画像について前記生成手段により生成された固有情報と一致又は類似する固有情報に関連付けて前記登録手段により登録された書込情報を検索することを特徴とする請求項１又は２に記載の画像処理システムである。
【０００９】
請求項４に係る発明は、前記生成手段は、前記撮像画像を複数の領域に分割し、当該複数の領域にそれぞれ含まれる文字列に基づき算出した複数の特徴量を要素として含む固有情報を生成し、前記検索手段は、前記監査対象の紙媒体を撮像した撮像画像について前記生成手段により生成された固有情報に含まれる複数の特徴量のうち予め定められた数又は割合以上の特徴量が一致する固有情報に関連付けて前記登録手段により登録された書込情報を検索することを特徴とする請求項３に記載の画像処理システムである。
【００１０】
請求項５に係る発明は、紙媒体を撮像した撮像画像の画像情報に基づいて、前記撮像画像の固有情報を生成する生成手段と、登録対象の紙媒体を撮像した撮像画像について前記生成手段により生成された固有情報と、当該撮像画像に書き込まれた書込情報とを関連付けて登録する登録手段と、を含み、監査対象の紙媒体を撮像した撮像画像の画像情報に基づいて生成された固有情報に基づいて、前記登録手段に登録された書込情報の中から対応する書込情報が検索され、前記検索された書込情報に基づく書込画像が、前記監査対象の紙媒体を撮像した撮像画像に重ね合わせて表示されることを特徴とする登録装置である。
【００１１】
請求項６に係る発明は、紙媒体を撮像した撮像画像の画像情報に基づいて、前記撮像画像の固有情報を生成する生成手段と、登録対象の紙媒体を撮像した撮像画像の画像情報に基づいて生成された固有情報と、当該撮像画像に書き込まれた書込情報とを関連付けて記憶した記憶手段から、監査対象の紙媒体を撮像した撮像画像について前記生成手段により生成された固有情報に基づいて、対応する書込情報を取得する取得手段と、前記取得した書込情報に基づく書込画像を、前記監査対象の紙媒体を撮像した撮像画像に重ね合わせて表示させる表示制御手段と、を含むことを特徴とする画像処理装置である。
【００１２】
請求項７に係る発明は、紙媒体を撮像した撮像画像の画像情報に基づいて、前記撮像画像の固有情報を生成する生成手段と、登録対象の紙媒体を撮像した撮像画像について前記生成手段により生成された固有情報と、当該撮像画像に書き込まれた書込情報とを関連付けて登録する登録手段としてコンピュータを機能させるためのプログラムであって、監査対象の紙媒体を撮像した撮像画像の画像情報に基づいて生成された固有情報に基づいて、前記登録手段に登録された書込情報の中から対応する書込情報が検索され、前記検索された書込情報に基づく書込画像が、前記監査対象の紙媒体を撮像した撮像画像に重ね合わせて表示されることを特徴とするプログラムである。
【００１３】
請求項８に係る発明は、紙媒体を撮像した撮像画像の画像情報に基づいて、前記撮像画像の固有情報を生成する生成手段と、登録対象の紙媒体を撮像した撮像画像の画像情報に基づいて生成された固有情報と、当該撮像画像に書き込まれた書込情報とを関連付けて記憶した記憶手段から、監査対象の紙媒体を撮像した撮像画像について前記生成手段により生成された固有情報に基づいて、対応する書込情報を取得する取得手段と、前記取得した書込情報に基づく書込画像を、前記監査対象の紙媒体を撮像した撮像画像に重ね合わせて表示させる表示制御手段としてコンピュータを機能させるためのプログラムである。
【発明の効果】
【００１４】
請求項１，５〜８に係る発明によれば、検査された紙媒体の画像を保存せずに、監査時に検査時の紙媒体への書き込みを確認することができる。
【００１５】
請求項２に係る発明によれば、初回以降の検査時においても、過去の検査、監査時の紙媒体への書き込みを確認することができる。
【００１６】
請求項３に係る発明によれば、検査された紙媒体の画像を保存せずに、監査対象の紙媒体と同じ紙媒体である可能性が高い紙媒体に対する検査時の書き込みを確認することができる。
【００１７】
請求項４に係る発明によれば、紙媒体に含まれる領域ごとの文字列に基づいて監査対象の紙媒体と同じ紙媒体である可能性が高い紙媒体を特定できる。
【図面の簡単な説明】
【００１８】
【図１】本実施形態に係る画像処理システムのシステム構成図である。
【図２】クライアント装置とデータ管理装置のそれぞれの機能ブロック図である。
【図３】登録情報管理テーブルの一例を示す図である。
【図４】初回検査時に行われるデータ登録処理のシーケンス図である。
【図５】登録情報の生成処理のフローチャートである。
【図６】監査時、及び初回以降の検査時に行われる処理のシーケンス図である。
【図７】検査時において表示装置に表示される証跡画像の一例を示す図である。
【図８】検査時において書込画像が重ね合わせて表示された証跡画像の一例を示す図である。
【図９】監査時において表示装置に表示される証跡画像の一例を示す図である。
【図１０】監査時においてオーバレイボタンが押下された後に取得される書込画像の一例を示す図である。
【図１１】書込画像が重ね合わせ表示される証跡画像の一例を示す図である。
【発明を実施するための形態】
【００１９】
以下、本発明を実施するための実施の形態（以下、実施形態という）を、図面を参照しながら説明する。
【００２０】
［システム構成］
図１には、本実施形態に係る画像処理システム１のシステム構成図を示した。図１に示されるように、画像処理システム１は、データ管理装置２、クライアント装置３、撮像装置４、表示装置５、入力装置６を含み、データ管理装置２とクライアント装置３、クライアント装置３と撮像装置４、表示装置５、入力装置６はそれぞれデータ通信可能に接続されている。
【００２１】
本実施形態に係る画像処理システム１では、紙等の媒体を利用して行われる商取引の監査に関し、監査対象の紙面（原本）となる証跡についての情報を管理するとともに、管理した情報を用いて監査処理を補助する処理を実行する。なお、本実施形態では、証跡に関してユーザ（検査人）が実施する検査（証跡について検査に係る書き込みを行うプロセス）と、検査済みの証跡に対してユーザ（監査人）が実施する監査（検査内容が正当か否かの判断とその判断結果に基づく監査に係る書き込みを行うプロセス）が実施され、検査と監査とは監査が正常終了するまで繰り返し実行されることとしてよい。
【００２２】
データ管理装置２は、証跡についてユーザが書き込んだ書込情報を、証跡そのものではなく、証跡を識別する情報に関連付けて管理するコンピュータである。データ管理装置２は、クライアント装置３から書込情報を取得して管理するとともに、管理する書込情報をクライアント装置３に対して提供する。なお、本実施形態では、証跡そのものの画像データはセキュリティの観点から保存しないこととしている。
【００２３】
クライアント装置３は、証跡の画像情報を取得し、取得した証跡についての検査、監査のいずれか又は両方を実施するコンピュータである。なお、本実施形態では、簡単のため同じクライアント装置３により検査及び監査を実施することとしているが、検査と監査とは別々のクライアント装置３により実施されることとしてもよい。クライアント装置３は、検査時には、ユーザが証跡について書き込んだ書込情報を、証跡の画像識別情報とともにデータ管理装置２に送信する。また、クライアント装置３は、監査時には、ユーザ（検査人）が証跡について検査時に書き込んだ書込情報をデータ管理装置２から取得し、取得した書込情報を証跡の画像に重ね合わせて表示させるとともに、ユーザ（監査人）が証跡に対して監査時に書き込んだ書込情報を、証跡の画像識別情報とともにデータ管理装置２に送信する。なお、二回目移行の検査時においては、クライアント装置３は、証跡について過去の検査及び監査において書き込まれた書込情報をそれぞれ取得して、取得した書込情報をそれぞれ証跡に重ね合わせて表示させることとしてよい。
【００２４】
撮像装置４は、被写体（証跡）を撮像した撮像画像をクライアント装置３に出力するカメラである。
【００２５】
表示装置５は、液晶ディスプレイ等により実現され、クライアント装置３による情報処理の結果（画面）を表示させる。
【００２６】
入力装置６は、キーボード、マウス等の入力装置６により実現され、ユーザからの操作入力を受け付け、受け付けた操作入力をクライアント装置３に出力する。
【００２７】
クライアント装置３は、撮像装置４、表示装置５、入力装置６をそれぞれ内蔵しておくこととしてもよく、その場合には、表示装置５と入力装置６とをタッチパネルにより構成することとしても構わない。
【００２８】
［機能ブロック］
図２には、クライアント装置３とデータ管理装置２のそれぞれの機能ブロック図を示した。以下、クライアント装置３とデータ管理装置２のそれぞれに備えられた機能の詳細について順に説明する。
【００２９】
まず、クライアント装置３に備えられた機能について説明する。図２に示されるように、クライアント装置３は、撮像画像取得部３１、表示制御部３２、入力情報受付部３３、書込情報取得部３４、画像識別情報生成部３５、登録情報生成部３６、登録情報送信部３７、登録情報取得部３８を備える。
【００３０】
クライアント装置３に備えられる上記の各部の機能は、ＣＰＵ等の制御手段、メモリ等の記憶手段、外部デバイスとデータを送受信する入出力手段等を備えたコンピュータが、コンピュータ読み取り可能な情報記憶媒体に格納されたプログラムを読み込み実行することで実現されるものとしてよい。なお、プログラムは光ディスク、磁気ディスク、磁気テープ、光磁気ディスク、フラッシュメモリ等の情報記憶媒体によってコンピュータたるクライアント装置３に供給されることとしてもよいし、インターネット等のデータ通信網を介してクライアント装置３に供給されることとしてもよい。
【００３１】
撮像画像取得部３１は、撮像装置４により撮像された証跡の撮像画像（証跡画像）を取得する。
【００３２】
表示制御部３２は、撮像画像取得部３１により取得された撮像画像や、クライアント装置３における情報処理の結果を表示装置５に出力して表示させる。
【００３３】
入力情報受付部３３は、入力装置６からユーザの入力した入力情報を受け付ける。入力情報受付部３３は、検査／監査の処理種別、検査／監査の版情報、書込情報の入力や各種の処理要求を受け付けることとしてよい。
【００３４】
書込情報取得部３４は、証跡画像を表示装置５に表示した状態で、入力情報受付部３３により受け付けた入力情報に基づいて、証跡画像に書き込まれた書込情報を取得する。書込情報取得部３４は、書込情報を、証跡画像と同じサイズの画像情報（書込画像）として取得することとしてよい。ここで、書込画像の背景は、透明とすることとしてよい。また、書込情報取得部３４は、書込画像における画素値を予め定められた順に連結して書込情報を生成することとしても構わない。
【００３５】
画像識別情報生成部３５は、証跡画像の画像情報に基づいて、証跡画像を識別する画像識別情報（固有情報）を生成する。以下、画像識別情報の生成処理の例について具体的に説明する。
【００３６】
画像識別情報生成部３５は、証跡画像から証跡領域を特定し、特定した証跡領域を切り出す。画像識別情報生成部３５は、切り出した証跡領域を格子状（Ｎ×Ｍ）に分割し、分割した各々の部分領域について文字認識処理を行った後、認識された文字列について形態素解析を行って各部分領域に含まれる単語を取得する。次に、画像識別情報生成部３５は、各部分領域に含まれる単語を予め定められた基準に従ってソートし、各部分領域について第Ｋ（Ｋは自然数）順位まで（例えば第１順位）にソートされた単語のハッシュ値を、各部分領域の特徴量として算出する。なお、単語が含まれない部分領域については、予め定められた特徴量を割り当てることとしてよい。そして、画像識別情報生成部３５は、各部分領域の特徴量（要素）を領域の順（例えば左上から右下の順）に並べた数値（又は、各部分領域の特徴量を領域の順で要素として持つベクトル）を、証跡画像の画像識別情報として得る。
【００３７】
登録情報生成部３６は、書込情報取得部３４により取得した書込情報（書込画像）と、画像識別情報生成部３５により生成された画像識別情報とに基づいて、検査又は監査に係る証跡についての登録情報を生成する。例えば、登録情報生成部３６は、画像識別情報、書込情報、処理種別（検査／監査）、版情報（何度目の検査／監査かの情報）を関連付けて登録情報を生成することとしてよい。
【００３８】
登録情報送信部３７は、登録情報生成部３６により生成された登録情報を、データ登録装置に送信する。
【００３９】
登録情報取得部３８は、監査時、又は二回目移行の検査時において、画像識別情報生成部３５により生成された画像識別情報に関連付けてデータ管理装置２に管理されている登録情報を取得する。例えば、登録情報取得部３８は、画像識別情報をデータ管理装置２に送信し、送信した画像識別情報と一致又は類似する画像識別情報についてデータ管理装置２で管理されている登録情報を取得することとしてよい。なお、１の画像識別情報と他の画像識別情報とが類似するとは、１の画像識別情報に含まれる数値の要素と、他の画像識別情報に含まれる数値の要素とにおいて一致する割合又は数が閾値以上（又は閾値より大きい）か否かにより判定することとしてよい。
【００４０】
表示制御部３２は、登録情報取得部３８により取得された登録情報に含まれる書込情報に基づく書込画像を、証跡画像に重ね合わせて（オーバーレイ）表示する。例えば、表示制御部３２は、証跡画像の表示サイズに合わせて、書込画像を拡大／縮小した後に、拡大／縮小した書込画像を重ね合わせ表示させることとしてよい。
【００４１】
次に、データ管理装置２に備えられた機能について説明する。図２に示されるように、データ管理装置２は、登録情報受信部２１、登録情報管理部２２、登録情報提供部２３を備える。
【００４２】
データ管理装置２に備えられる上記の各部の機能は、ＣＰＵ等の制御手段、メモリ等の記憶手段、外部デバイスとデータを送受信する入出力手段等を備えたコンピュータが、コンピュータ読み取り可能な情報記憶媒体に格納されたプログラムを読み込み実行することで実現されるものとしてよい。なお、プログラムは光ディスク、磁気ディスク、磁気テープ、光磁気ディスク、フラッシュメモリ等の情報記憶媒体によってコンピュータたるデータ管理装置２に供給されることとしてもよいし、インターネット等のデータ通信網を介してデータ管理装置２に供給されることとしてもよい。
【００４３】
登録情報受信部２１は、クライアント装置３の登録情報送信部３７により送信された登録情報を受信する。
【００４４】
登録情報管理部２２は、登録情報受信部２１で受信した登録情報を記憶し管理する。図３には、登録情報管理部２２により登録情報を管理する登録情報管理テーブルの一例を示した。図３に示されるように、登録ＩＤ、書込情報、版情報、処理種別、画像識別情報がそれぞれ関連付けて記憶される。
【００４５】
登録情報提供部２３は、クライアント装置３から画像識別情報に関連付けられた登録情報の提供要求を受け付けた場合に、クライアント装置３から受信した画像識別情報に一致又は類似する画像識別情報に関連付けられた登録情報を登録情報管理部２２から検索し、検索された登録情報をクライアント装置３に提供する。
【００４６】
［シーケンス］
次に、図４〜６に示されたシーケンス図を参照しながら、画像処理システム１において行われる処理の一連の流れについて説明する。
【００４７】
［初回検査時の処理］
まず、図４に示されたシーケンス図を参照しながら、画像処理システム１において初回検査時に行われるデータ登録処理の流れについて説明する。
【００４８】
図４に示されるように、クライアント装置３は、証跡の情報を登録する処理の開始を、データ管理装置２に対して要求する（Ｓ１０１）。これに対して、データ管理装置２は、処理対象の証跡を撮像する指示をクライアント装置３に対して通知する（Ｓ１０２）。例えば、データ管理装置２は、処理対象の証跡の属性情報をクライアント装置３に対して通知することとしてよい。
【００４９】
クライアント装置３は、指示に係る証跡を撮像した撮像画像（証跡画像）を撮像装置４から取得し（Ｓ１０３）、取得した撮像画像（証跡画像）を表示装置５に表示する（Ｓ１０４）。図７には、検査時において表示装置５に表示される証跡画像の一例を示した。
【００５０】
クライアント装置３は、入力装置６を介して入力された情報に基づいて、表示された撮像画像（証跡画像）に対する書込情報を取得するとともに、書込情報に基づく書込画像を撮像画像に重ね合わせて表示する（Ｓ１０５）。図８には、検査時において書込画像が重ね合わせて表示された証跡画像の一例を示した。
【００５１】
クライアント装置３は、入力装置６を介して登録要求を受け付けると（Ｓ１０６）、撮像画像及び書込情報に基づいて登録情報を生成する（Ｓ１０７）。この登録情報の生成処理の詳細については後述する。
【００５２】
クライアント装置３は、生成した登録情報をデータ管理装置２に送信し（Ｓ１０８）、データ管理装置２は、クライアント装置３から受信した登録情報を登録する（Ｓ１０９）。以上が、初回検査時の処理である。
【００５３】
［登録情報の生成処理］
次に、図５に示されるフローチャートを参照しながら、図４のＳ１０７で行われる処理（登録情報の生成処理）の詳細について説明する。
【００５４】
図５に示されるように、クライアント装置３は、撮像画像（証跡画像）の中から、処理の対象とする証跡の領域（証跡領域）を特定し（Ｓ２０１）、特定した証跡領域を複数の部分領域に分割する（Ｓ２０２）。ここでは、部分領域の数をＮ個とし、証跡領域は、部分領域Ａ１〜ＡＮに分割されたこととする。
【００５５】
クライアント装置３は、変数ｉの初期値を１として、部分領域Ａｉを選択し（Ｓ２０３）、選択された部分領域Ａｉについて文字認識処理を実行する（Ｓ２０４）。クライアント装置３は、部分領域Ａｉについて文字が認識された場合には（Ｓ２０５：Ｙ）、認識された文字列について形態素解析を施すとともに（Ｓ２０６）、形態素解析の結果得た単語を予め定められた基準でソートする（Ｓ２０７）。そして、クライアント装置３は、第１順位にソートされた単語のハッシュ値を算出し（Ｓ２０８）、算出されたハッシュ値を部分領域Ａｉの固有値に決定する（Ｓ２０９）。
【００５６】
一方で、クライアント装置３は、Ｓ２０５で部分領域Ａｉについて文字が認識されなかった場合には（Ｓ２０５：Ｎ）、予め定められた値を部分領域Ａｉの固有値に決定する（Ｓ２１０）。
【００５７】
クライアント装置３は、未処理の部分領域Ａｉがある場合（すなわち、ｉがＮに達していない場合）には（Ｓ２１１：Ｙ）、ｉをインクリメントして（Ｓ２１２）、Ｓ２０３に戻り、未処理の部分領域Ａｉがない場合（すなわち、ｉがＮに達している場合）には（Ｓ２１１：Ｎ）、部分領域Ａ１〜ＡＮの固有値に基づいて、証跡の画像識別情報を決定する（Ｓ２１３）。
【００５８】
クライアント装置３は、証跡画像について書き込まれた書込情報を抽出し（Ｓ２１４）、画像識別情報、書込情報、処理種別、版情報等を関連付けて登録情報を生成し（Ｓ２１５）、リターンする。
【００５９】
［監査／初回以降の検査時の処理］
次に、図６に示されたシーケンス図を参照しながら、画像処理システム１において監査時、及び初回以降の検査時に行われる処理の流れについて説明する。
【００６０】
図６に示されるように、クライアント装置３は、証跡の監査／検査の開始を、データ管理装置２に対して要求する（Ｓ３０１）。これに対して、データ管理装置２は、処理対象の証跡を撮像する指示をクライアント装置３に対して通知する（Ｓ３０２）。
【００６１】
クライアント装置３は、指示に係る証跡を撮像した撮像画像（証跡画像）を撮像装置４から取得し（Ｓ３０３）、取得した撮像画像（証跡画像）を表示装置５に表示する（Ｓ３０４）。図９には、監査時において表示装置５に表示される証跡画像の一例を示した。
【００６２】
クライアント装置３は、入力装置６を介して、処理対象の証跡についてデータ管理装置２に登録された登録情報の取得要求を受け付ける（例えば、図９におけるオーバレイボタンが押下される）と（Ｓ３０５）、撮像画像（証跡画像）についての画像識別情報を生成し（Ｓ３０６）、生成した画像識別情報をデータ管理装置２に送信する（Ｓ３０７）。
【００６３】
データ管理装置２は、クライアント装置３から受信した画像識別情報に基づいて、当該受信した画像識別情報と一致又は類似する画像識別情報に関連付けて記憶される登録情報を検索する（Ｓ３０８）。ここで、データ管理装置２は、検索された登録情報がある場合には（Ｓ３０９：Ｙ）、検索された登録情報をクライアント装置３に送信する（Ｓ３１０）。
【００６４】
クライアント装置３は、データ管理装置２から登録情報（Ｍ個）を受信すると、受信した登録情報に含まれる書込情報Ｄｉ（ｉの初期値は１）を選択し（Ｓ３１１）、書込情報Ｄｉに基づく書込画像Ｉｉを生成し（Ｓ３１２）、生成した書込画像Ｉｉを撮像画像に重ね合わせて表示する（Ｓ３１３）。書込情報Ｄｉは、履歴の古い順に選択することとしてもよいし、逆に履歴の新しい順に選択することとしても構わない。
【００６５】
クライアント装置３は、未処理の書込情報Ｄｉがある場合（すなわちｉがＭに達していない場合）には（Ｓ３１４：Ｙ）、ｉをインクリメントして（Ｓ３１５）、Ｓ３１１に戻り、未処理の書込情報Ｄｉがない場合（すなわちｉがＭに達している場合）には（Ｓ３１４：Ｎ）、Ｓ３１６に進む。
【００６６】
クライアント装置３は、オーバーレイ表示された撮像画像に対して新たな書き込みがある場合には（Ｓ３１６：Ｙ）、表示された撮像画像（証跡画像）に対する書込情報を取得するとともに、書込情報に基づく書込画像を撮像画像に重ね合わせて表示する（Ｓ３１７）。図１０には、監査時においてオーバレイボタンが押下された後に取得される書込画像の一例を示し、図１１には、取得した書込画像が重ね合わせ表示される証跡画像の一例を示した。
【００６７】
クライアント装置３は、入力装置６を介して登録要求を受け付けると（Ｓ３１８）、撮像画像及び書込情報に基づいて登録情報を生成し、生成した登録情報の登録処理を実行する（Ｓ３１９）。登録処理については、図４のＳ１０７〜Ｓ１０９及び図５に示した通りである。
【００６８】
また、クライアント装置３は、Ｓ３０９において検索結果がない場合には（Ｓ３０９：Ｎ）、エラーをクライアント装置３に通知して（Ｓ３２０）、処理を終了することとしてよい。
【００６９】
上記シーケンスにおける監査の結果がＮＧである場合には、クライアント装置３にその旨通知して、二回目の検査処理を実行するように促すこととしてもよい。
【００７０】
以上説明した画像処理システム１によれば、検査時の証跡の画像を保存せずとも、監査時に検査時の紙媒体に対して行われた書き込みの内容が監査時に撮像した画像中に重ね合わせて表示されることで、確認可能となる。
【００７１】
本発明は上記の実施形態に限定されるものではない。例えば、上記の実施形態において更に、証跡画像に重ね合わせて表示する書込画像をユーザが選択するようにしてもよい。さらにこの場合において、版情報と処理種別（検査／監査）を指定することで重ね合わせる書込画像を選択するようにしてもよい。
【符号の説明】
【００７２】
１  画像処理システム、２  データ管理装置、３  クライアント装置、４  撮像装置、５表示装置、６  入力装置、２１  登録情報受信部、２２  登録情報管理部、２３  登録情報提供部、３１  撮像画像取得部、３２  表示制御部、３３  入力情報受付部、３４  書込情報取得部、３５  画像識別情報生成部、３６  登録情報生成部、３７  登録情報送信部、３８  登録情報取得部。
【図１】
2014170292.tif 000003
【図２】
2014170292.tif 000004
【図３】
2014170292.tif 000005
【図４】
2014170292.tif 000006
【図５】
2014170292.tif 000007
【図６】
2014170292.tif 000008
【図７】
2014170292.tif 000009
【図８】
2014170292.tif 000010
【図９】
2014170292.tif 000011
【図１０】
2014170292.tif 000012
【図１１】
2014170292.tif 000013